(57)【要約】【課題】  より簡易な構成でかつ低コストで携帯情報端末装置を使った緊急事態通知のサービスを実現できる緊急通知を提供する。【解決手段】  緊急事態の発生を検出する緊急ボタン２６及び制御部１２と、緊急事態の発生が検出されたとき、外部の通信装置を発呼する通信部１７と、通信部１７によって発呼される通信装置を特定するための特定情報（電話番号）を各特定情報の優先順位と共に記憶する特定情報メモリ１４ａとを備え、通信部１７が、特定情報メモリ１４ａに記憶されている特定情報の優先順位に従って通信装置を発呼する置。【選択図】  図２  
2005216128.tif 000002
【特許請求の範囲】
【請求項１】
緊急事態の発生を検出する緊急事態検出手段と、
前記緊急事態検出手段によって緊急事態の発生が検出されたとき、外部の通信装置を発呼する発呼手段と、
前記発呼手段によって発呼される通信装置を特定するための特定情報を各特定情報の優先順位と共に記憶する特定情報記憶手段と、を備えてなり、
前記発呼手段は、前記特定情報記憶手段に記憶されている特定情報の優先順位に従って通信装置を発呼することを特徴とする緊急通知装置。
【請求項２】
前記緊急事態検出手段による緊急事態発生検出の禁止及び該禁止の解除を切り替える緊急検出切替手段をさらに備えることを特徴とする請求項１に記載の緊急通知装置。
【請求項３】
前記発呼手段が前記緊急事態検出手段による緊急事態の発生検出から所定の時間経過後に発呼を開始すると共に、緊急事態発生検出から発呼開始までの時間に発呼の中止を受け付ける発呼中止手段をさらに備えることを特徴とする請求項１または２に記載の緊急通知装置。
【請求項４】
前記発呼手段に発呼された通信装置に送信情報を送信する送信手段をさらに備え、前記送信情報が、音声及び文字の少なくとも一つを含むことを特徴とする請求項１から３のいずれか１項に記載の緊急通知装置。
【請求項５】
前記送信手段は、前記送信情報として音声を送信する場合、送信される音声の検出にあたり検出感度をより高めることを特徴とする請求項４項に記載の緊急通知装置。
【請求項６】
写真を撮影するカメラをさらに備え、前記送信手段は、該カメラによって撮影された写真を送信情報として前記発呼手段に発呼された通信装置に送信することを特徴とする請求項４または５項に記載の緊急通知装置。
【請求項７】
自機の現在位置にかかる情報を取得する現在位置情報取得手段をさらに備え、前記送信手段は、前記現在位置情報取得手段によって取得された現在位置に係る情報を前記発呼手段に発呼された通信装置に送信することを特徴とする請求項４から６のいずれか１項に記載の緊急通知装置。
【請求項８】
自機の現在位置として適正な位置にかかる適正位置情報を予め記憶する適正位置情報記憶手段を備え、前記緊急事態検出手段は、前記現在位置情報取得手段が取得した現在位置情報が前記適正位置情報と所定の距離以上相違した場合に緊急事態が発生したと判断することを特徴とする請求項７に記載の緊急通知装置。
【請求項９】
前記適正位置情報記憶手段が前記適正位置と該適正位置が取得されるのに適正な適正時間とを対応付けて記憶し、前記緊急事態検出手段は、前記現在位置情報取得手段によって取得された現在位置の取得時間が前記適正時間と所定の時間以上相違した場合に緊急事態が発生したと判断することを特徴とする請求項８に記載の緊急通知装置。
【請求項１０】
前記緊急事態検出手段は、ユーザの操作によってオン、オフされるボタン、温度センサ、加速度センサ、圧力センサ、特定のガスを検出するガスセンサの少なくともいずれか一つを含むことを特徴とする請求項１から９のいずれか１項に記載の緊急通知装置。
【請求項１１】
前記緊急事態検出手段によって検出された緊急事態の種別を特定する緊急種別特定手段をさらに備えると共に、前記特定情報記憶手段は前記特定情報を緊急事態の種別に応じた優先順位と共に記憶し、前記発呼手段は、前記緊急種別特定手段によって特定された緊急事態の種別に対応する優先順位に従って通信装置を発呼することを特徴とする請求項１から１０のいずれか１項に記載の緊急通知装置。
【発明の詳細な説明】
【技術分野】
【０００１】
本発明は、緊急通知装置に係り、特に携帯に適した緊急通知装置に関する。
【背景技術】
【０００２】
現在、携帯電話等、携帯可能であって、かつ外部と通信できる携帯情報端末装置が普及しており、多数の人が携帯情報端末装置を日常携帯して生活をしている。このため、携帯情報端末装置に防犯機能を持たせ、緊急事態の発生を各人が持つ携帯情報端末装置を使って外部に通知するための構成が提案されている。
【０００３】
このような構成の従来技術として、例えば、緊急通知に係るサーバと携帯情報端末装置とをネットワークで接続してシステムを構成するものがある。構成されたシステムでは、携帯電話から緊急事態発生時の通報先をサーバに予め送信してユーザの固有情報と共に登録する。サーバは、携帯電話から緊急事態が発生したことを通知する情報を受信すると、情報を送信してきたユーザの固有情報に対応する通信先に通知してユーザに緊急事態が発生したことを知らせる（例えば、特許文献１参照）。
【０００４】
また、他の従来技術では、緊急事態の発生時にユーザが携帯電話に備えられた非常ボタンを押下する。非常ボタンの押下によって緊急事態が発生したことを示す信号が基地局を介して交換局に送信される。交換局では、信号が送信された場所の最寄りの警察署を検索し、検索の結果得られた警察署に緊急事態の発生を通知する（特許文献２）。
【特許文献１】特開平２００２−３４４６５９号公報
【特許文献２】特開平２００３−２１７０６０号公報
【発明の開示】
【発明が解決しようとする課題】
【０００５】
しかしながら、上記した従来技術は、いずれも携帯電話を使って緊急事態の発生を通知しているものの、緊急事態に対処するための通知に関する処理はサーバや交換局で行っている。このような従来技術では、携帯電話を使った緊急の通知のためにシステムを構築する、あるいは既存のサーバや交換局で行われる処理を変更する必要がある。システム構築や処理の変更には多額の初期コストがかかる上、以降のメンテナンスにもコストがかかる。したがって、従来技術は、緊急通知のサービスをビジネスとして実施することにかかる負荷が大きいという欠点を持つ。
【０００６】
本発明は、上記した点に鑑みてなされたものであり、より簡易な構成でかつ低コストで携帯情報端末装置を使った緊急事態通知のサービスを実現できる緊急通知を提供することを目的とする。
【課題を解決するための手段】
【０００７】
以上述べた課題を解決するため、本発明の緊急通知装置は、緊急事態の発生を検出する緊急事態検出手段と、緊急事態検出手段によって緊急事態の発生が検出されたとき、外部の通信装置を発呼する発呼手段と、発呼手段によって発呼される通信装置を特定するための特定情報を各特定情報の優先順位と共に記憶する特定情報記憶手段と、を備えてなり、発呼手段は、特定情報記憶手段に記憶されている特定情報の優先順位に従って通信装置を発呼することを特徴とする。
【０００８】
このような発明によれば、緊急通知装置が緊急事態検出手段によって緊急事態の発生を検出することができる。そして、緊急事態が検出されたとき、予め定められている優先順位に従って通信装置を順次発呼することができる。このような構成により、本発明は、ユーザに緊急事態が発生したことを通知の必要性が高い通知先から順に通知し、ユーザをより確実に保護することができる。さらに、緊急通知装置が直接通信装置を発呼して緊急事態の発生を通知するので、実施にあたって専用のシステム等を構築する等の設備投資が不要である。このため、緊急事態が発生したことを検出して自動的に通報するというサービスを簡易に、かつ低コストでユーザに提供することができる。
【０００９】
また、本発明の緊急通知装置は、緊急事態検出手段による緊急事態発生検出の禁止及び該禁止の解除を切り替える緊急検出切替手段をさらに備えることを特徴とする。
【００１０】
このような発明によれば、必要に応じて緊急事態発生検出の禁止及び該禁止の解除を切り替えることができる。このため、意図しないで緊急事態発生を外部に通知することを防ぎ、緊急通知装置の信頼性をより高めることができる。
【００１１】
また、本発明の緊急通知装置は、発呼手段が緊急事態検出手段による緊急事態の発生検出から所定の時間経過後に発呼を開始すると共に、緊急事態発生検出から発呼開始までの時間に発呼の中止を受け付ける発呼中止手段をさらに備えることを特徴とする。
【００１２】
このような発明によれば、ユーザの誤操作によって発呼の処理に入った場合にも発呼の処理を中止することができる。このため、誤操作によって緊急事態発生を外部に通知することを防ぎ、緊急通知装置の信頼性をより高めることができる。
【００１３】
また、本発明の緊急通知装置は、発呼手段に発呼された通信装置に送信情報を送信する送信手段をさらに備え、送信情報が音声及び文字の少なくとも一つを含むことを特徴とする。
【００１４】
このような発明によれば、音声及び文字の少なくとも一つを含む情報を通信装置に送信してユーザの緊急事態に関するより詳細な情報を通知することができる。
【００１５】
また、本発明の緊急通知装置は、送信手段が、送信情報として音声を送信する場合、送信される音声の検出にあたり検出感度をより高めることを特徴とする。
【００１６】
このような発明によれば、ユーザの声やユーザのいる環境の音から得られる情報をより多く通知先に送信することができる。このため、通知先において、緊急事態の状況やユーザの状況をより詳細に知り、適切に対処することができる。
【００１７】
また、本発明の緊急通知装置は、写真を撮影するカメラをさらに備え、送信手段が、このカメラによって撮影された写真を送信情報として発呼手段に発呼された通信装置に送信することを特徴とする
この発明によれば、通知先にユーザが撮影した写真を送信することができる。このため、ユーザの置かれた環境や状況の情報を視覚的に通知先に通知することができる。
【００１８】
また、本発明の緊急通知装置は、自機の現在位置にかかる情報を取得する現在位置情報取得手段をさらに備え、送信手段は、現在位置情報取得手段によって取得された現在位置に係る情報を発呼手段に発呼された通信装置に送信することを特徴とする。
【００１９】
この発明によれば、緊急通知装置の現在位置にかかる情報を通知先に送信することができる。このため、通知先では緊急通知装置、すなわちユーザの現在位置を知ることができ、発生した緊急事態に適切に対処することができる。
【００２０】
また、本発明の緊急通知装置は、自機の現在位置として適正な位置にかかる適正位置情報を予め記憶する適正位置情報記憶手段を備え、前記緊急事態検出手段は、前記現在位置情報取得手段が取得した現在位置情報が前記適正位置情報と所定の距離以上相違した場合に緊急事態が発生したと判断することを特徴とする。
【００２１】
この発明によれば、ユーザが適正な位置にいるかどうか緊急通知装置の側で判断し、適正な位置の範囲から外れた場合に自動的に緊急事態発生を検出して通知することができる。このため、この発明は、例えば、ユーザが迷って適正な位置にいないことを自覚していない場合にも緊急事態として通知ができる。
【００２２】
また、本発明の緊急通知装置は、適正位置情報記憶手段が適正位置と該適正位置が取得されるのに適正な適正時間とを対応付けて記憶し、緊急事態検出手段は、現在位置情報取得手段によって取得された現在位置の取得時間が適正時間と所定の時間以上相違した場合に緊急事態が発生したと判断することを特徴とする。
【００２３】
この発明によれば、緊急事態の発生をユーザの位置と時間とによって判断するので、より正確に緊急事態の発生を検出することができる。この発明は、例えば、適正な位置をユーザが通常移動する手段とは違う手段で連れ去られた場合にも緊急事態であると判断することができる。
【００２４】
また、緊急通知装置は、緊急事態検出手段が、ユーザの操作によってオン、オフされるボタン、温度センサ、加速度センサ、圧力センサ、特定のガスを検出するガスセンサの少なくともいずれか一つを含むことを特徴とする。
【００２５】
この発明によれば、ユーザの判断、温度、衝撃、圧力（ユーザが緊急事態にあって装置の筐体を握り締めた）、環境の特定のガスの濃度のうち少なくとも１つを使って緊急事態発生を検出することができる。このような緊急事態発生検出のトリガーのうち予想される緊急事態に適切なものを選択することにより、目的に即した緊急通知装置を構成することができる。
【００２６】
また、本発明の緊急通知装置は、緊急事態検出手段によって検出された緊急事態の種別を特定する緊急種別特定手段をさらに備えると共に、特定情報記憶手段は特定情報を緊急事態の種別に応じた優先順位と共に記憶し、発呼手段は、緊急種別特定手段によって特定された緊急事態の種別に対応する優先順位に従って通信装置を発呼することを特徴とする。
【００２７】
この発明によれば、検出された緊急事態の種別を特定し、この種別に応じた通知先を設定することができる。このため、通知された先でより適切に緊急事態に対処できる緊急通知装置を提供することができる。
【発明を実施するための最良の形態】
【００２８】
以下、本発明の実施形態１及び実施形態２について説明する。実施形態１、実施形態２の緊急通知装置は、いずれも携帯情報端末装置を使って緊急事態の発生を外部に通知するものである。また、携帯情報端末装置として、携帯電話を利用するものとする。
（実施形態１）
図１は、携帯電話を利用した実施形態１の緊急通知装置の外観図である。また、図２は、図１に示した緊急通知装置の構成を説明するためのブロック図である。以下、図１及び図２を使って実施形態１の緊急通知装置を説明する。
【００２９】
実施形態１の緊急通知装置は、緊急事態の発生を検出する緊急事態検出手段である緊急ボタン２６及び温度センサ３０、緊急事態の発生が検出されたとき、外部の通信装置を発呼する発呼手段として機能する通信部１７及びアンテナ１９、通信部１７及びアンテナ１９によって発呼される通信装置を特定するための特定情報を記憶する特定情報記憶手段である特定情報メモリ１４ａを備えている。
【００３０】
実施形態１でいう特定情報とは、通信装置を特定するための電話番号やメールアドレスをいう。特定情報メモリ１４ａは、特定情報を各特定情報の優先順位と共に記憶している。特定情報の優先順位については後に詳述する。
【００３１】
緊急ボタン２６は、ユーザの操作によってオンされるボタンであり、ユーザは緊急事態が発生したと判断した場合に緊急ボタン２６を押下する。緊急ボタン２６を押下すべき緊急事態とは、例えば、引ったくりや連れ去りの被害に会うこと、あるいは事故や火災、急病といった事態が考えられる。緊急通知装置は、緊急ボタン２６が押下されたことによって緊急事態の発生を検出し、通信部１７及びアンテナ１９を使って外部の通信装置を発呼する。
【００３２】
温度センサ３０は、環境温度を測定し、測定された温度が所定の温度（例えば５０度）以上、または所定の温度（例えば−５度）以下になったことを検出する。緊急通知装置は、温度センサ３０が所定の温度以上あるいは所定の温度以下になったことを検出したことによって緊急事態の発生を検出する。そして、緊急ボタン２６の押下時と同様に通信部１７及びアンテナ１９を使って外部の通信装置を発呼する。
【００３３】
５０度以上の温度を検出する温度センサによれば、ユーザが火災にあったことを緊急事態として検出することができる。また、環境温度が５０度に達する以前であっても、ユーザは炎に対して緊急通知装置をかざすことにより火災にあったことを外部に通知することができる。また、−５度以下の温度を検出する温度センサによれば、ユーザが山等で迷ったことを緊急事態として検出することができる。
【００３４】
さらに、実施形態１の緊急通知装置は、緊急ボタン２６や温度センサ３０による緊急事態検出の禁止及び該禁止の解除を切り替える緊急検出切替手段であるロックキー２７を備えている。実施形態１では、緊急ボタン２６を押しボタンとし、ロックキー２７をスライドキーとして構成した。ロックキー２７が緊急ボタンのロックを解除する位置にあるとき、緊急ボタン２６の押下によって通信装置を発呼する信号が基地局に送信される。ただし、ロックキー２７が緊急ボタン２６をロックする位置にあるとき、緊急ボタン２６が押下された場合にも緊急通知装置は信号を送信することがない。
【００３５】
また、ロックキー２７は、温度センサ３０が所定の温度以上、所定の温度以下の温度を検出した場合にも、この温度検出による緊急事態発生の検出及び検出の禁止を切り替えることができる。なお、実施形態１では、緊急ボタン２６、ロックキー２７を共に緊急通知装置の側面に設け、ユーザが操作部１１を操作しているときに緊急ボタン２６、ロックキー２７を誤操作することを防いでいる。
【００３６】
緊急ボタン２６、ロックキー２７の緊急通知装置における設置位置は、装置側面に限定されるものでなく、誤操作がされ難い場所であればどこでもよい。例えば、裏面や筐体の四隅に緊急ボタン２６、ロックキー２７を設けてもよい。
【００３７】
また、緊急ボタン２６、ロックキー２７は独立して設けられるものに限定されるものではない。すなわち、携帯電話は、一般的にユーザの指示を入力する操作部１１を備えている。このため、携帯電話を利用した緊急通知装置は、操作部１１のボタンのいずれかに緊急ボタン２６、ロックキー２７と同様の機能をソフトウェアで割り付けることも可能である。このように構成する場合、割り付けられたボタンを本来の目的で操作した場合と緊急ボタン２６、ロックキー２７の機能を果たす目的で操作した場合とで押下時間を異なる時間に設定する。このようにすれば、このボタンを本来の目的で操作した場合に誤って緊急事態の発生が外部に通知されることを防ぐことができる。
【００３８】
さらに実施形態１の緊急通知装置は、通信装置を発呼した場合、発呼された通信装置に通信部１７及びアンテナ１９から情報（送信情報）を送信する。通信部１７及びアンテナ１９は、送信情報を、音声及び文字の少なくとも一つとして送信することができる。
【００３９】
このため、図示した緊急通知装置は、送信情報となる音声を検出して集音するマイク２３、通信装置から送信されてきた音声のデジタル情報をアナログ情報に変換するＤ／Ａ変換部２０、変換された情報を出力するスピーカ２１を備えている。
【００４０】
また、実施形態１の緊急通知装置は、写真を撮影するデジタル式のカメラ１８を備え、通信部１７及びアンテナ１９がカメラ１８によって撮影された写真を送信情報として送信することができる。このため、図示した緊急通知装置は、カメラ１８が撮影した写真を取り込んで展開するＶＲＡＭ１５、展開された写真を表示する表示部１６を備えている。ＶＲＡＭ１５、表示部１６は、実施形態１の緊急通知装置が文字として送信情報を送信する場合の文字情報をも展開し、表示する。
【００４１】
緊急事態通知装置は、文字情報や写真を文字情報として送信することにより、連れ去り等の事態にあってユーザを連れ去った犯人に気づかれることなくユーザの状況に関する情報を通知先に通知することができる。
【００４２】
また、実施形態１の緊急通知装置は、自機の現在位置を示す情報を取得する位置情報取得部２５を備えている。すなわち、位置情報取得部２５は、通信部１７等でＧＰＳ（Global Positioning System）衛星及び基地局から自機の現在位置にかかる情報を受信する。そして、ＧＰＳ衛星から受信したＧＰＳ情報を基地局から受信した情報で補正して現在位置の情報を取得する。通信部１７は、位置情報取得部２５によって取得された現在位置に係る情報を発呼された電話に送信情報として送信することができる。このように構成した場合、実施形態１は、ユーザが連れ去りや山等での遭難にあったとき特に効果を発揮する。
【００４３】
また、実施形態１の緊急通知装置は、以上の構成を統括的に制御する制御部１２を備えている。そして、制御部１２の制御に使用されるプログラムやデータを記憶するＲＯＭ１３及びＲＡＭ１４を備えている。特定情報記憶メモリ１４ａは、ＲＡＭ１４の一部として構成されていて、ユーザによって任意に書き換え可能である。
【００４４】
図３は、特定情報記憶メモリ１４ａに記憶される特定情報の例を示す図である。図示した例では、特定情報である電話番号を、発呼の優先順位及び電話番号に関する情報（名前、電話番号が勤務先である等）と共に記憶している。実施形態１の緊急通知装置は、緊急事態の発生を検出すると、優先順位の高いものから順に電話番号を発呼する。したがって、図３の例では、緊急事態発生検出により先ず「山田太郎」の電話が発呼される。この際、「山田太郎」の電話への発呼に対する応答がなかった場合、次に優先順位が高い「勤務先」の電話に対して発呼する。さらに、実施形態１の緊急通知装置は、この発呼にも応答がなかった場合には次に優先順位が高い電話に対して発呼する、というように通信が成立するまで順次優先順位に従って電話を発呼する。
【００４５】
以上述べた構成は、以下のように動作する。すなわち、ユーザは、緊急事態が発生したと判断すると、ロックキー２７を解除して緊急ボタン２６を押下する。あるいは火災が発生した、または寒冷地から自力で脱出することができないと判断した場合にはロックキー２７を解除し、温度センサ３０に環境温度を検出させる。この動作によって緊急事態の発生が制御部１２に検出され、制御部１２は、特定情報記憶メモリ１４ａにある特定情報を使って外部の通信装置を発呼する。
【００４６】
なお、ユーザは、夜間外出する等、危険と思われる状態になるときに予めロックキー２７を解除しておき、緊急事態の発生に速やかに対処できるようにしてもよい。実施形態１の緊急通知装置は、このような場合に意図しない緊急ボタン２６の操作等によって緊急事態発生が誤検出されることを防ぐため、発呼中止手段を設けている。実施形態１は、発呼手段を、緊急事態の発生検出から所定の時間経過後に発呼を開始すると共に、緊急事態発生検出から発呼開始までの時間に発呼の中止を受け付けて発呼を中止することによって実現している。
【００４７】
より具体的には、例えば、緊急事態発生を検出した場合、制御部１２が、通信先を発呼するに先立って、例えば「緊急呼び出しをしますか？」といったメッセージと共に「Ｙｅｓ」または「Ｎｏ」の選択をユーザに促す画面を表示部１６に表示する。そして、表示されたメッセージに対し、ユーザが「Ｎｏ」を選択した場合には発呼の中止を受け付ける。一方、「Ｙｅｓ」が選択された場合には直ちに優先順位が最も高い通信装置を発呼する。
【００４８】
発呼の際、実施形態１の緊急通知装置は、先ず最も優先順位の高い「山田太郎」の電話を発呼する。発呼に対して応答があった場合、実施形態１の緊急通知装置は、所定の時間（例えば５分間）でこの通信をいったん自動的に終了する。
【００４９】
このような構成により、実施形態１は、緊急通知装置を構成する携帯電話の電力を節減している。電力節減により、携帯電話は緊急事態の通知の後も通話可能になり、緊急事態発生の対処するため他の目的で有効に利用することができる。
【００５０】
一方、発呼に対して応答がない場合、制御部１２は、優先順位にしたがって「勤務先」の電話を発呼する。この発呼に対して応答があった場合にも５分間の通信の後、同様に通信を終了する。さらに、「勤務先」に対する発呼にも応答がない場合、以降、「警察」、「鈴木一郎」の電話をいずれかから応答があるまで順次発呼する。優先順位の最も低い「鈴木一郎」の電話の発呼にも応答がない場合、再び「山田太郎」の電話を発呼するようにしてもよい。
【００５１】
このような構成により、実施形態１は、優先順位が高い通知先であっても連絡がつかない状態にあるものを通知先の対象から外し、設定した通知先のいずれかに緊急事態の発生を確実に通知できるようにしている。
【００５２】
さらに、実施形態１の緊急通知装置は、通信可能になった通信装置に音声を送信する場合、音声処理部２４がマイク２１の音声の検出感度を通常の設定よりも高くする。このような処理により、実施形態１の緊急通知装置は、通話の内容のみならずユーザがいる環境を示す情報をも通知先に送信し、知らせることができる。ユーザの環境を通知先に知らせることは、ユーザの所在や状態を通知先に知らせ、連れ去りや監禁等に対して特に効果的である。
【００５３】
図４は、以上述べた実施形態１の緊急通知装置でなされる処理を説明するためのフローチャートである。図示したフローチャートによれば、緊急通知装置の制御部１２は、ロックキー２７が解除されているか否か判断する（Ｓ４０１）。実施形態１では、スライドキーであるロックキー２７がロック解除の位置にあるか否かによってこの判断を行っている。ロックキー２７が解除されていない場合（Ｓ４０１：Ｎｏ）、制御部１２は、ロックが解除されるまで本フローチャートの処理を開始しない。
【００５４】
一方、制御部１２は、ロックキー２７が解除されたと判断すると（Ｓ４０１：Ｙｅｓ）、緊急事態発生の検出のロックを解除する（Ｓ４０２）。そして、緊急事態が発生したか否かを判断する（Ｓ４０３）。この判断は、緊急ボタン２６が押下された、あるいは温度センサ３０が所定の温度以上の温度または所定の温度以下の温度を検出したか否かによって行われる。
【００５５】
制御部１２は、緊急ボタン２６等によって緊急事態発生を検出した場合（Ｓ４０３：Ｙｅｓ）、通信部１７を制御し、特定情報にしたがって通信装置（実施形態１では電話）を発呼する。この際、制御部１２は、先ず、Ｐｒｉｏｒｉｔｙを１に設定する（Ｓ４０５）。Ｐｒｉｏｒｉｔｙとは、特定情報メモリ１４ａに記憶されている特定情報の優先順位（図３）を示す数字である。Ｐｒｉｏｒｉｔｙが１に設定されたことにより、優先順位が最も高い電話に対して発信がなされる（Ｓ４０６）。
【００５６】
次に、制御部１２は、優先順位が最も高い電話との通話できたか否か判断する（Ｓ４０７）。通話ができなかった場合（Ｓ４０７：Ｎｏ）、制御部１２は、Ｐｒｉｏｒｉｔｙを１つカウントアップし（Ｓ４０８）、次に優先順位が高い電話に発信する（Ｓ４０６）。なお、実施形態１では、ステップＳ４０７の判断において、緊急通知装置にパラメータを設定することによって留守電話による応答を通話の確立と判断しないように設定することができる。
【００５７】
以上の処理により、実施形態１の緊急通知装置は、特定情報メモリ１４ａに記憶されている電話番号に対して優先順位が高いものから順に発信することができる。
【００５８】
一方、ステップＳ４０７において、通話ができた場合（Ｓ４０７：Ｙｅｓ）、制御部１２は、通話開始から例えば５分間程度の一定の時間が経過したか否か判断する（Ｓ４０９）。この判断のため、制御部１２は、通話時間が５分間に達するまで時間を計測し続ける（Ｓ４１０）なお、ステップＳ４０９、ステップＳ４１０でいう時間は、制御部１２のクロック信号発生器（図示せず）等で計測される時間間隔をいい、時分を指すものではない。ステップＳ４０９において５分間が経過したと判断すると（Ｓ４０９：Ｙｅｓ）、制御部１２は、通信部１７を制御して通話を遮断する（Ｓ４１１）。
【００５９】
緊急通知装置を携帯電話として構成した場合、緊急事態の発生にあってユーザが通話を遮断することを忘れ、バッテリが消耗して後の必要な場合に外部と通話できなくなるおそれがある。実施形態１では、ステップＳ４１１のように通話を５分間で遮断して緊急通知装置の電池が消耗することを防ぎ、後の携帯電話の使用に支障が生じないようにしている。
【００６０】
次に、制御部１２は、緊急ボタン２６が解除（例えば緊急ボタン２６が押下げられていない、あるいはロックキー２７がロック位置に戻されている）されているか否か判断する（Ｓ４１２）。緊急ボタン２６が解除されていない場合（Ｓ４１２：Ｎｏ）、通話の遮断から例えば１時間といった比較的長い時間が経過したか否か判断する（Ｓ４１３）。なお、この時間は、緊急通知装置にパラメータとして設定する値によってユーザが変更することが可能である。
【００６１】
制御部１２は、１時間のうちに緊急ボタン２６が解除された場合には処理を終了する（Ｓ４１２：Ｙｅｓ）。また、１時間が経過しても緊急ボタン２６の解除がなされていない場合には（Ｓ４１２：Ｎｏ）、先に通話が成立したｐｒｉｏｒｉｔｙの電話に再び発信する（Ｓ４０６）。
【００６２】
以上述べたように、実施形態１の緊急通知装置は、ユーザが予め登録した複数の通知先のうち、より優先順位の高いものに発呼して緊急事態が発生したことを通知することができる。そして、優先順位が高い通知先に通話できない場合、次に優先順位が高い通知先に発呼して通知先のいずれかに確実に緊急事態の発生を通知することを可能にする。
【００６３】
また、実施形態１は、このような緊急通知装置を、携帯電話に緊急事態発生を検出するためのボタンやセンサを追加し、このボタンやセンサによる検出をトリガーとして自動発呼するためのソフトウェア等を追加することのみによって実現することができる。このため、実施形態１は、サーバ等との間で専用のシステムを構築する必要がなく、より簡易な構成でかつ低コストで携帯情報端末装置を使った緊急事態通知のサービスを実現できる。
【００６４】
また、本発明は、以上述べた実施形態１に限定されるものではない。例えば、緊急事態検出手段は、実施形態１のようにユーザが押下するボタンや温度センサに限定されるものでなく、加速度センサ、圧力センサ、特定のガスを検出するガスセンサであってもよい。また、火災は、温度センサ３０によってのみ検出されるものでなく、例えば煙検知器を緊急通知装置に設けることによっても検出することができる。
【００６５】
加速度センサは、緊急通知装置に所定の値の加速度が加わったことを検出し、制御部１２に伝える。このような加速度センサによれば、緊急通知装置に所定の衝撃よりも強い衝撃が加わったことによって交通事故や自転車等の転倒といった緊急事態が発生したものと判断することができる。
【００６６】
また、圧力センサによれば、所定の圧力よりも強い圧力が加わったことによって緊急事態が発生したものと判断することができる。圧力センサによれば、ユーザが危険を感じたとき緊急通知装置を思わず強く握ることによって緊急事態の発生を外部に通知することができる。さらに、ガスセンサによれば、例えば、一酸化炭素等有害なガスがユーザのいる環境において所定の濃度以上になった場合に緊急事態が発生したものと判断することができる。
【００６７】
また、緊急事態検出手段となり得る他の構成としては、緊急通知装置が水に濡れたことを検出するセンサがある。このようなセンサを防水機能付きの携帯電話等に設け、水難事故を検出できる緊急通知装置を構成することができる。また、特殊な臭いを検出する臭いセンサや所定の強度以上の光を検出する光センサ、所定の音量以上の音を検出するセンサを緊急事態検出手段として用いることが考えられる。
【００６８】
また、上記した緊急事態検出手段としての構成を複数設けた場合、実施形態１では、ボタンやガスセンサといった各構成によって検出された緊急事態の種別を制御部１２が特定することができる。このように構成した場合、特定情報メモリ１４ａに電話番号を緊急事態の種別に応じた優先順位と共に記憶しておき、通信部１７が、制御部１２によって特定された緊急事態の種別に対応する優先順位に従って通信装置を発呼する。
【００６９】
より具体的には、例えば、温度センサ３０によって検出される緊急事態は火事である可能性が高い。このことから、実施形態１では、優先順位を１・消防、２・救急、３・山田太郎、…とした特定情報のデータ（データ２とする）を図３に示したデータ（データ１とする）とは別に特定情報メモリ１４ａに記憶させる。そして、制御部１２は、緊急ボタン２６が押下されたときにはデータ１にしたがって発呼するよう通信部１７を制御する。また、温度センサ３０によって緊急事態発生を検出したときにはデータ２にしたがって発呼するよう通信部１７を制御する。
【００７０】
このような実施形態１によれば、緊急事態の種別を緊急事態検出手段の種別に応じて判別し、緊急事態の種別に応じた優先順位及び通知先に緊急事態の発生を通知することができる。
（実施形態２）
次に、本発明の実施形態２について説明する。実施形態２も図１、図２で示した携帯電話を利用するものであるから、実施形態２の構成の図示及び説明の一部を略す。実施形態２は、特に位置情報取得部２５を使って現在位置を取得する携帯電話の機能を利用するものである。
【００７１】
実施形態２の緊急通知装置は、例えばＲＡＭ１４に自機の現在位置として適正な適正位置を適正位置情報として予め記憶する。制御部１２は、位置情報取得部２５が取得した緊急通知装置の現在位置（ユーザの現在位置とみなす）の情報（現在位置情報）を、記憶されている適性位置情報と比較する。そして、比較の結果、現在位置が適正位置と所定の距離以上相違している場合に緊急事態が発生したと判断する。
【００７２】
図５は、実施形態２の適正位置情報の例を示した図である。図示した適正位置情報３１は、例えばユーザが自宅から学校や会社へ向かう経路上の位置、あるいは帰宅する経路上の位置をユーザの移動の順序にしたがって並べたデータである。図中に示した適正位置情報３１の各データは、緯度及び経度で示されていて、「／」記号の紙面左側に緯度を、右側に経度を示している。
【００７３】
ユーザは、自宅を出るとき、または帰宅開始時にロックキー２７を解除する。ロックキー２７の解除により、位置情報取得部２５が現在位置情報３２の取得を開始する。制御部１２は、記憶されている適正位置情報３１と、この適正位置情報３１に対応する現在位置情報３２とを比較する。適正位置情報３１に対応する現在位置情報３２との対応は、例えば情報に含まれるデータの順番（図５中、Ｎｏで示す）によって決定することができる。
【００７４】
そして、制御部１２は、適正位置情報３１と現在位置情報３２とが所定の距離（例えば５０ｍ）以上相違した場合、ユーザが通常通るコースを外れたと判断し、特定情報メモリ１４ａに記憶されている優先順位にしたがって通知先を発呼する。
【００７５】
ただし、実施形態２は、ユーザがコースを外れた場合、直ちに発呼して通知先に通知するものに限定されるものではない。例えば、ユーザがコースを外れたと判断されるデータが３個以上連続して取得された場合にだけ発呼するようにしてもよい。また、ユーザがコースを外れたと判断された後、以降適正位置情報３１と現在位置情報３２との距離の相違が広がる傾向にある場合にだけ発呼するようにしてもよい。
【００７６】
以上述べた構成によれば、実施形態２の緊急通知装置は、ユーザが連れ去られた、あるいは道に迷ったことを予め定められた連絡先に通知してユーザを保護することができる。また、実施形態２は、このような緊急通知装置を構成するにあたり、近年携帯電話等で一般的な機能となっている位置情報の取得機能を利用している。このため、サーバ等の間で専用のシステム等を構成する必要がなく、簡易に実現可能であって、かつ効果的な緊急通知装置を実現することができる。
【００７７】
さらに、図５に示した例では、ＲＡＭ１４が、適正位置情報３１とこの適正位置情報３１が取得されるのに適正な適正時間情報３３とを対応付けて記憶している。実施形態２でいう適正時間情報３３とは、位置情報の取得開始から適正位置情報３１に含まれる各データが取得されるのに適正な経過時間とする。このような場合、制御部１２は、現在位置情報３２に含まれる各データが取得された時間間隔と（取得時間情報３４）と適正時間情報３３とが所定の時間以上相違した場合に緊急事態が発生したと判断することができる。
【００７８】
このような構成によれば、実施形態２は、通常徒歩や自転車でコース上を移動するユーザが自動車等によって連れ去られた場合、この自動車がコース上を移動したとしても緊急事態の発生を検出することができる。
【００７９】
また、実施形態２では、緊急通知装置を携帯するユーザが道に迷い、自覚なく適正な経路から外れた場合にも緊急事態が発生したとして外部に通知することができる。このため、実施形態２の緊急通知装置は、子供や介添えが必要な老人等が携帯することに特に適した構成といえる。
【００８０】
また、本発明の実施形態２は、以上述べた構成に限定されるものではない。例えば、実施形態２は、ユーザの行動範囲として許容可能な範囲を適正位置情報として緊急通知装置に記憶させておくこともできる。そして、ユーザの現在位置情報がこの行動範囲から外れたら緊急事態が発生したと判断し、通知先に通知をすることもできる。
【図面の簡単な説明】
【００８１】
【図１】本発明の実施形態にかかる緊急通知装置の外観図である。
【図２】図１に示した緊急通知装置のブロック図である。
【図３】本発明の実施形態１にかかる特定情報を説明するための図である。
【図４】本発明の実施形態１にかかる処理を説明するためのフローチャートである。
【図５】本発明の実施形態２にかかる適正位置情報、現在位置情報を説明するための図である。
【符号の説明】
【００８２】
１１は操作部、  １２は制御部、  １３はＲＯＭ、  １４はＲＡＭ、  １４ａは特定情報メモリ、  １５はＶＲＡＭ、  １６は表示部、  １７は通信部、  １８はカメラ、
１９はアンテナ、  ２０はＡ／Ｄ変換部、  ２１はスピーカ、  ２３はマイク、
２５は位置情報取得部、  ２６は緊急ボタン、  ２７はロックキー、  ３０は温度センサ
【図１】
2005216128.tif 000003
【図２】
2005216128.tif 000004
【図３】
2005216128.tif 000005
【図４】
2005216128.tif 000006
【図５】
2005216128.tif 000007